(57)【要約】【課題】中空板が変形し難い複合ボードを提供する。【解決手段】本考案に係る複合ボード１００では、中空部５５が設けられた中空板５０と、中空板５０上に設けられたプラスチック板６０と、プラスチック板６０上に設けられた仕上げ材６２と、を含む。【選択図】図１
0003211903.tif 000002
【実用新案登録請求の範囲】
【請求項１】
中空部が設けられた中空板と、
前記中空板上に設けられたプラスチック板と、
前記プラスチック板上に設けられた仕上げ材と、
を含む、複合ボード。
【請求項２】
請求項１において、
前記プラスチック板の圧縮強度は、前記中空板の圧縮強度および前記仕上げ材の圧縮強度よりも大きい、複合ボード。
【請求項３】
請求項１または２において、
前記仕上げ材は、プラスチックタイルである、複合ボード。
【請求項４】
請求項１または２において、
前記仕上げ材は、カーペットである、複合ボード。
【請求項５】
請求項１ないし４のいずれか１項において、
前記中空板と前記プラスチック板との積層方向からみて、
前記中空板、前記プラスチック板、および前記仕上げ材は、同じ形状および同じ大きさを有し、
前記中空板は、前記プラスチック板からはみ出ないように設けられ、
前記仕上げ材は、前記プラスチック板に対して縦方向および横方向にずれて設けられている、複合ボード。
【請求項６】
請求項１ないし５のいずれか１項において、
前記中空板の材質は、プラスチックである、複合ボード。
【請求項７】
請求項１ないし６のいずれか１項において、
前記中空部は、前記中空板の全体に連通している、複合ボード。
【請求項８】
請求項１ないし７のいずれか１項に記載の複合ボードと、
下床上に設けられ、前記複合ボードを支持する支持具と、
を含む、床構造。
【考案の詳細な説明】
【技術分野】
【０００１】
本考案は、複合ボードおよび床構造に関する。
【背景技術】
【０００２】
集合住宅などの床本体（コンクリートスラブなど）に貼付する床板材としては、遮音性および断熱性が求められる。このような床板材として、例えば特許文献１には、多数の孔を並設したプラスチック板の片面に板材を接着してなる複合ボードが記載されている。
【先行技術文献】
【特許文献】
【０００３】
【特許文献１】実開昭６０−２６８３１号公報
【考案の概要】
【考案が解決しようとする課題】
【０００４】
しかしながら、特許文献１に記載の床構造では、多数の孔を並設したプラスチック板（中空板）の圧縮強度が十分でなく、大きな荷重がかかると、中空板が変形しまう場合があった。特に、板材（仕上げ材）として、タイルやカーペットを用いる場合は、フローリングに比べて、荷重が中空板に伝わり易いので、中空板が変形し易い。
【０００５】
本考案のいくつかの態様に係る目的の１つは、中空板が変形し難い複合ボードを提供することにある。また、本考案のいくつかの態様に係る目的の１つは、上記の複合ボードを含む床構造を提供することにある。
【課題を解決するための手段】
【０００６】
本考案は前述の課題の少なくとも一部を解決するためになされたものであり、以下の態様又は適用例として実現することができる。
【０００７】
［適用例１］
本考案に係る床構造の一態様は、
中空部が設けられた中空板と、
前記中空板上に設けられたプラスチック板と、
前記プラスチック板上に設けられた仕上げ材と、
を含む。
【０００８】
このような複合ボードでは、仕上げ材側から大きな荷重がかかったとしても、中空板と仕上げ材との間にはプラスチック板が設けられているため、中空板が変形し難い。
【０００９】
［適用例２］
適用例１において、
前記プラスチック板の圧縮強度は、前記中空板の圧縮強度および前記仕上げ材の圧縮強度よりも大きくてもよい。
【００１０】
このような複合ボードでは、プラスチック板によって、より確実に、中空板が変形することを抑制することができる。
【００１１】
［適用例３］
適用例１または２において、
前記仕上げ材は、プラスチックタイルであってもよい。
【００１２】
このような複合ボードでは、仕上げ材としてクッション性の低いプラスチックタイルを用いても、プラスチック板により、荷重に対して中空板が変形し難い。
【００１３】
［適用例４］
適用例１または２において、
前記仕上げ材は、カーペットであってもよい。
【００１４】
このような複合ボードでは、仕上げ材としてクッション性の低いカーペットを用いても、プラスチック板により、荷重に対して中空板が変形し難い。
【００１５】
［適用例５］
適用例１ないし４のいずれか１例において、
前記中空板と前記プラスチック板との積層方向からみて、
前記中空板、前記プラスチック板、および前記仕上げ材は、同じ形状および同じ大きさを有し、
前記中空板は、前記プラスチック板からはみ出ないように設けられ、
前記仕上げ材は、前記プラスチック板に対して縦方向および横方向にずれて設けられていてもよい。
【００１６】
このような複合ボードでは、施工する場合に、仕上げ材とプラスチック板とによる段差により、隣り合って貼り付けた複合ボードがずれ難く、目地が乱れ難い。したがって、施工が容易となる。
【００１７】
［適用例６］
適用例１ないし５のいずれか１例において、
前記中空板の材質は、プラスチックであってもよい。
【００１８】
このような複合ボードでは、例えば中空板が木製である場合に比べて、加工性しやすく、かつ軽量である。
【００１９】
［適用例７］
適用例１ないし６のいずれか１例において、
前記中空部は、前記中空板の全体に連通していてもよい。
【００２０】
このような複合ボードでは、熱エネルギーを、中空板の全体にわたって蓄えることができる。
【００２１】
［適用例８］
本考案に係る床構造の一態様は、
適用例１ないし７のいずれか１例に記載の複合ボードと、
下床上に設けられ、前記複合ボードを支持する支持具と、
を含む。
【００２２】
このような床構造では、二重床構造となっており、高い断熱性および遮音性を有することができる。
【図面の簡単な説明】
【００２３】
【図１】本実施形態に係る複合ボードを模式的に示す斜視図。
【図２】本実施形態に係る複合ボードを模式的に示す断面図。
【図３】本実施形態に係る複合ボードを模式的に示す平面図。
【図４】複数の複合ボードを施工した状態を示す平面図。
【図５】本実施形態の変形例に係る床構造の中空板を模式的に示す断面図。
【図６】本実施形態の変形例に係る床構造の中空板を模式的に示す平面図。
【図７】本実施形態に係る床構造を模式的に示す図。
【考案を実施するための形態】
【００２４】
以下、本考案の好適な実施形態について、図面を用いて詳細に説明する。なお、以下に説明する実施形態は、特許請求の範囲に記載された本考案の内容を不当に限定するものではない。また、以下で説明される構成の全てが本考案の必須構成要件であるとは限らない。
【００２５】
１．  複合ボード
まず、本実施形態に係る複合ボードについて、図面を参照しながら説明する。図１は、本実施形態に係る複合ボード１００を模式的に示す斜視図である。図２は、本実施形態に係る複合ボード１００を模式的に示す断面図である。図３は、本実施形態に係る複合ボード１００を模式的に示す平面図である。なお、図２は、図３のＩＩ−ＩＩ線断面図である。
【００２６】
複合ボード１００は、図１〜図３に示すように、ベースパネル４０と、中空板５０と、プラスチック板６０と、仕上げ材６２と、を有している。複合ボード１００は、部屋を規定する床として用いられる。
【００２７】
ベースパネル４０の形状は、例えば、板状である。ベースパネル４０の厚さは、例えば、２０ｍｍ程度である。ベースパネル４０の大きさは、中空板５０とプラスチック板６０との積層方向からみて（平面視において）、例えば、縦３０ｃｍ×横３０ｃｍ程度である。ベースパネル４０は、例えば、木製の合板などである。
【００２８】
中空板５０は、ベースパネル４０上に設けられている。図示の例では、平面視において、中空板５０は、ベースパネル４０と、同じ形状および同じ大きさを有している。中空板５０の厚さは、例えば、５ｍｍ以上１５ｍｍ以下である。中空板５０の材質は、例えば、ＡＢＳ（Ａｃｒｙｌｏｎｉｔｒｉｌｅ  Ｂｕｔａｄｉｅｎｅ  Ｓｔｙｒｅｎｅ）樹脂や変性ＰＰＥ（Ｐｏｌｙｐｈｅｎｙｌｅｎｅｅｔｈｅｒ）樹脂などのプラスチック（合成樹脂）である。
【００２９】
中空板５０は、第１側面５１と、第２側面５２と、第３側面５３と、第４側面５４と、を有している。側面５１，５２は、互いに対向している。側面５３，５４は、側面５１，５２に接続され、互いに対向している。側面５１，５２，５３，５４は、例えば、ベースパネル４０およびプラスチック板６０と接触していない面である。
【００３０】
中空板５０には、中空部５５が設けられている。図示の例では、中空板５０は、板状の部材に中空部５５が設けられた形状を有している。中空部５５は、例えば、第１側面５１から第２側面５２まで貫通する貫通孔である。図示の例では、中空部５５は、複数設けられ、複数の中空部５５は、第３側面５３から第４側面５４に向けて並列されている。図示の例では、中空部５５の第１側面５１に設けられた開口の形状は、四角形であるが、特に限定されない。中空部５５には、空気が存在している。中空板５０は、例えば、プレス成形によって形成される。
【００３１】
プラスチック板６０は、中空板５０上に設けられている。ベースパネル４０の形状は、
例えば、板状である。プラスチック板６０の厚さは、例えば、１ｍｍ以上１０ｍｍ以下である。図示の例では、平面視において、プラスチック板６０は、中空板５０およびベースパネル４０と、同じ形状および同じ大きさを有している。平面視において、中空板５０は、プラスチック板６０からはみ出さないように設けられている。
【００３２】
プラスチック板６０の材質は、例えば、ＡＢＳ樹脂や変性ＰＰＥ樹脂などのプラスチックである。プラスチック板６０の圧縮強度（具体的には、中空板５０とプラスチック板６０との積層方向に力を加えたときの圧縮強度）は、中空板５０の圧縮強度および仕上げ材６２の圧縮強度よりも大きい。圧縮強度は、例えば、公知の圧縮強度測定器によって測定することができる。
【００３３】
仕上げ材６２は、プラスチック板６０上に設けられている。仕上げ材６２は、建物の内外装に使用される、直接目に触れる部材である。仕上げ材６２の形状は、例えば、板状である。仕上げ材６２は、例えば、Ｐタイル（プラスチックタイル）、カーペットなどである。
【００３４】
図示の例では、平面視において、仕上げ材６２は、プラスチック板６０、中空板５０、およびベースパネル４０と、同じ形状および同じ大きさを有している。仕上げ材６２は、プラスチック板６０、中空板５０、およびベースパネル４０の平面形状は、例えば、正方形、長方形などである。
【００３５】
平面視において、仕上げ材６２は、プラスチック板６０に対して縦方向（図示の例では、プラスチック板６０の一辺６０ａに沿う方向）および横方向（図示の例では、の一辺６０ａと直交する方向）にずれて設けられている。仕上げ材６２のプラスチック板６０に対する縦方向のずれ量αと、仕上げ材６２のプラスチック板６０に対する横方向のずれ量βとは、例えば、同じである。ずれ量α，βは、例えば、３ｍｍ以上５０ｍｍ以下である。このように、仕上げ材６２がプラスチック板６０に対してすれて設けられていることにより、複合ボード１００は、仕上げ材６２およびプラスチック板６０によって形成される段差６４を有する。
【００３６】
なお、図示はしないが、ベースパネル４０と中空板５０との間には、合成樹脂に添加剤を加えた材料から構成されるカルプ材が設けられていてもよい。この場合、中空板５０は、カルプ材を介して、ベースパネル４０上に設けられている。
【００３７】
複合ボード１００は、例えば、以下の特徴を有する。
【００３８】
複合ボード１００では、中空部５５が設けられた中空板５０と、中空板５０上に設けられたプラスチック板６０と、プラスチック板６０上に設けられた仕上げ材６２と、を含む。そのため、仕上げ材６２側から複合ボード１００に大きな荷重（中空板５０とプラスチック板６０との積層方向の荷重）がかかったとしても、複合ボード１００では、中空板５０と仕上げ材６２との間にはプラスチック板６０が設けられているため、中空板５０が変形し難い。したがって、複合ボード１００では、荷重により中空板５０が潰れることを抑制することができ、高い遮音性および断熱性を有することができる。
【００３９】
さらに、複合ボード１００では、中空部５５が設けられた中空板５０を含むため、中空部５５に熱エネルギーを蓄積することができる。したがって、複合ボード１００では、複合ボードによって規定される部屋を暖めた後に該部屋の窓（該部屋を規定する壁材に設けられた窓）を開放しても、急速に該部屋の温度が下がらない。よって、複合ボード１００では、高い保温性を有することができ、冷暖房効率を高めることができる。
【００４０】
さらに、複合ボード１００では、中空部５５が設けられた中空板５０を含むため、クッション性が高い。したがって、例えば、複合ボード１００を病院や介護施設の床として施工した場合、患者などが転送したとしても、患者に与える影響が少ない。
【００４１】
複合ボード１００では、プラスチック板６０の圧縮強度は、中空板５０の圧縮強度および仕上げ材６２の圧縮強度よりも大きくてもよい。そのため、複合ボード１００では、プラスチック板６０によって、より確実に、中空板５０が変形することを抑制することができる。
【００４２】
複合ボード１００では、仕上げ材６２は、プラスチックタイルであってもよい。複合ボード１００では、仕上げ材６２としてクッション性の低いプラスチックタイルを用いても、プラスチック板６０により、荷重に対して中空板５０が変形し難い。
【００４３】
複合ボード１００では、仕上げ材６２は、カーペットであってもよい。複合ボード１００では、仕上げ材６２としてクッション性の低いカーペットを用いても、荷重に対してプラスチック板６０により、中空板５０が変形し難い。
【００４４】
複合ボード１００では、平面視において、中空板５０、プラスチック板６０、および仕上げ材６２は、同じ形状および同じ大きさを有し、中空板５０は、プラスチック板６０からはみ出ないように設けられ、仕上げ材６２は、プラスチック板６０に対して縦方向および横方向にずれて設けられていてもよい。そのため、例えば、図４に示すように、複数の複合ボード１００を縦方向および横方向に敷き詰めて床構造を形成する場合に（施工する場合に）、仕上げ材６２とプラスチック板６０とによる段差６４により、隣り合って貼り付けた複合ボードがずれ難く、目地が乱れ難い。したがって、施工が容易となる。なお、図４では、複数の複合ボード１００を施工した状態を示す平面図であり、実線で仕上げ材６２の目地を示し、破線でプラスチック板６０の目地を示している。
【００４５】
さらに、施工後では、仕上げ材６２の目地とプラスチック板６０の目地とは、平面視において、重なっていない。そのため、仕上げ材６２に水がこぼれた場合でも、仕上げ材６２の目地から浸透した水がプラスチック板６０までには達するが、プラスチック板６０の下方の下床（コンクリートスラブなど）には到達しにくい。したがって、下床にカビ発生したり、階下に水漏れが生じたりすることを抑制することができる。
【００４６】
複合ボード１００では、中空板５０の材質は、プラスチックであってもよい。そのため、複合ボード１００では、例えば中空板５０が木製である場合に比べて、加工性しやすく、かつ軽量である。さらに、複合ボード１００では、例えば中空板５０の材質が金属である場合に比べて、高い断熱性を有し、かつ軽量である。
【００４７】
２．  複合ボードの変形例
次に、本実施形態の変形例に係る複合ボード２００について、図面を参照しながら説明する。図５は、本実施形態の変形例に係る複合ボード２００の中空板５０を模式的に示す断面図である。図６は、本実施形態の変形例に係る複合ボード２００の中空板５０を模式的に示す平面図である。なお、図５は、図６のＶ−Ｖ線断面図である。
【００４８】
以下、本実施形態の変形例に係る複合ボード２００において、上述した本実施形態に係る複合ボード１００の例と異なる点について説明し、同様の点については説明を省略する。
【００４９】
複合ボード２００の中空板５０は、複合ボード１００の中空板５０と構造が異なる。複合ボード２００の中空板５０は、図５および図６に示すように、第１板状部５６と、第２
板状部５７と、凹凸状部５８と、を有している。
【００５０】
第１板状部５６および第２板状部５７は、板状の形状である。板状部５６，５７は、凹凸状部５８を挟持している。
【００５１】
凹凸状部５８は、第１板状部５６と第２板状部５７との間に設けられている。凹凸状部５８は、板状部５６，５７に固定されている。凹凸状部５８は、複数の凸部５８ａを有している。凸部５８ａは、例えば、周期的に設けられている。そのため、凹凸状部５８は、図５に示すように、凹凸状の形状を有している。
【００５２】
凸部５８ａは、第１板状部５６から第２板状部５７に向けて凸状の形状を有し、凸部５８ａの頂点を含む領域において、第２板状部５７に接続されている。凸部５８ａと第１板状部５６との間には、中空部５９が設けられている。中空部５９には、空気が存在している。図５に示す例では、凸部５８ａの平面形状は、円形であり、平面視において、複数の凸部５８ａは、細密充填構造を有している。
【００５３】
複合ボード２００では、中空部５５は、第１板状部５６と第２板状部５７との間の領域であって、凹凸状部５８および中空部５９以外の領域である。したがって、中空部５５は、中空板５０の全体に連通している。
【００５４】
複合ボード２００では、上述した複合ボード１００と、同様の効果を有する。
【００５５】
複合ボード２００では、中空部５５は、中空板５０の全体に連通している。そのため、複合ボード２００では、熱エネルギーを、中空板５０の全体にわたって蓄えることができる。
【００５６】
複合ボード２００では、凹凸状部５８の凸部５８ａと、第１板状部５６と、の間には、中空部５９が設けられている。そのため、複合ボード２００では、中空部５９においても、熱エネルギーを蓄積することができる。
【００５７】
複合ボード２００では、凸部５８ａの平面形状は、円形であり、平面視において、複数の凸部５８ａは、細密充填構造を有している。そのため、複合ボード２００では、例えば、中空部５５の圧縮強度を高くすることができる。
【００５８】
３．  床構造
次に、本実施形態に係る床構造３００について、図面を参照しながら説明する。本考案に係る床構造は、本考案に係る複合ボードを含む。以下では、本考案に係る複合ボードとして複合ボード１００を含む床構造３００について説明する。
【００５９】
床構造３００は、図７に示すように、下床１０と、支持具２０と、土台材３０と、複合ボード１００と、を含む。複合ボード１００は、部屋３０２を規定している。
【００６０】
下床１０は、例えば、コンクリートスラブである。
【００６１】
支持具２０は、下床１０上に設けられている。支持具２０は、土台材３０を介して、複合ボード１００を支持している。図示の例では、支持具２０は、下床１０上に設けられた固定部２２と、土台材３０を受ける受け部２４と、固定部２２と受け部２４とを接続しているボルト部２６と、を有している。固定部２２は、例えば図示せぬ接着剤によって、下床１０に固定されている。受け部２４は、土台材３０を支持している。受け部２４は、高さ調整可能にボルト部２６に螺着されている。ボルト部２６は、固定部２２に固定されて
いる。支持具２０の材質は、例えば、ＡＢＳ樹脂や変性ＰＰＥ樹脂などのプラスチックである。支持具２０は、部屋３０２の広さに応じて、複数設けられている。
【００６２】
土台材３０は、受け部２４上に設けられている。土台材３０は、複合ボード１００を支持している。図示の例では、固定部２２は、土台材３０を貫通し、ベースパネル４０の下面に到達している。なお、図示はしないが、固定部２２は、ベースパネル４０の内部にまで到達していてもよい。土台材３０は、例えば、石膏ボード、木製の合板などである。土台材３０は、支持具２０の数に応じて、複数設けられている。
【００６３】
複合ボード１００は、土台材３０上に設けられている。図示の例では、隣り合う複合ボード１００の目地が土台材３０に位置するように、複数の複合ボードが敷き詰められている。
【００６４】
なお、複数の複合ボード１００のうちの壁材（図示せず）と接触する複合ボード１００は、壁材と接触する側面（仕上げ材６２、プラスチック板６０、中空板５０、およびベースパネル４０から形成される側面）が、面一であってもよい。
【００６５】
床構造３００では、下床１０上に支持具２０を設け、支持具２０に複合ボード１００を支持させることにより、下床１０と複合ボード（上床）１００とを離間させた二重床構造となっている。そのため、床構造３００は、高い断熱性および遮音性を有することができる。
【００６６】
本考案は、実施の形態で説明した構成と実質的に同一の構成（例えば、機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００６７】
１０…下床、２０…支持具、２２…固定部、２４…受け部、２６…ボルト部、３０…土台材、４０…ベースパネル、５０…中空板、５１…第１側面、５２…第２側面、５３…第３側面、５４…第４側面、５５…中空部、５６…第１板状部、５７…第２板状部、５８…凹凸状部、５８ａ…凸部、５９…中空部、６０…プラスチック板、６０ａ…一辺、６２…仕上げ材、１００，２００…複合ボード、３００…床構造、３０２…部屋
【図１】
0003211903.tif 000003
【図２】
0003211903.tif 000004
【図３】
0003211903.tif 000005
【図４】
0003211903.tif 000006
【図５】
0003211903.tif 000007
【図６】
0003211903.tif 000008
【図７】
0003211903.tif 000009